(57)【特許請求の範囲】
【請求項１】
記録媒体にコンテンツデータを記憶する記憶手段と、
情報を表示する表示手段と、
前記コンテンツデータのうち、所定の種類のコンテンツデータを抽出する抽出手段と、
前記抽出したコンテンツデータの識別画像を第一の期間のカレンダに配置した第一の期間一覧を表示させ、前記第一の期間一覧に表示される複数の識別画像のうち一の識別画像の選択が検出されると、前記一の識別画像に対応する日を含み、前記第一の期間より日数の短い第二の期間に作成されたコンテンツデータの識別画像を日付別に配置した第二の期間一覧を表示させる表示制御手段と、
を有することを特徴とする情報処理装置。
【請求項２】
前記第一の期間は、月を単位とした期間であり、
前記第一の期間一覧は、前記抽出したコンテンツデータの識別画像を月別のカレンダに配置した月別一覧であることを特徴とする請求項１記載の情報処理装置。
【請求項３】
前記表示制御手段は、
前記第二の期間一覧に表示される複数の識別画像のうち一の識別画像が選択されると、前記第二の期間一覧から選択された一の識別画像に対応する日に作成されたコンテンツデータの識別画像を一覧表示した日付別一覧を表示させることを特徴とする請求項１記載の情報処理装置。
【請求項４】
前記表示制御手段は、
前記第一の期間一覧に表示される複数の識別画像のうち一の識別画像の選択が検出された後、前記第一の期間一覧に配置された確定ボタンの操作が検出されると、前記第二の期間一覧を表示させることを特徴とする請求項１記載の情報処理装置。
【請求項５】
前記表示制御手段は、
前記第二の期間一覧として、前記一の識別画像に対応する日を含む１週間に作成されたコンテンツデータの識別画像を日付別に配置した週別一覧を表示させることを特徴とする請求項１記載の情報処理装置。
【請求項６】
前記表示制御手段は、
前記第二の期間一覧として、前記第一の期間一覧の前記一の識別画像を含む一定領域を拡大した拡大一覧を表示させることを特徴とする請求項１記載の情報処理装置。
【請求項７】
前記コンテンツデータは画像データであり、
前記表示制御手段は、前記画像データ、または複数の前記画像データのうちの代表画像データのいずれかに基づいて縮小画像を生成して、前記識別画像として表示させることを特徴とする請求項１記載の情報処理装置。
【請求項８】
被写体を撮像して撮像データを出力する撮像手段を更に備え、
前記記憶手段は、前記撮像データを前記コンテンツデータとして前記記録媒体に記憶することを特徴とする請求項１記載の情報処理装置。
【請求項９】
記録媒体に記録された複数種類のコンテンツを選択し、再生出力するためのコンテンツ選択方法において、
コンテンツデータの識別画像を第一の期間のカレンダに配置した第一の期間一覧を表示させ、前記第一の期間一覧に表示される複数の識別画像のうち一の識別画像の選択が検出されると、前記一の識別画像に対応する日を含み、前記第一の期間より日数の短い第二の期間に作成されたコンテンツデータの識別画像を日付別に配置した第二の期間一覧を表示させる、
ことを特徴とするコンテンツ選択方法。
【発明の詳細な説明】
【技術分野】
【０００１】
本発明は、記録媒体に記録された複数種類のコンテンツを再生出力することが可能な情報処理装置およびコンテンツ選択方法に関する。
【背景技術】
【０００２】
近年、静止画像や動画像を撮影してデジタルデータとして記録することが可能な家庭用のデジタルスチルカメラやデジタルビデオカメラが広く普及している。また、最近では、記録媒体の高容量化に伴い、大量の画像ファイルを記録媒体に記録することが可能となったため、記録した画像ファイルを効率よく探し出して再生表示することや、あるいは印刷のために外部のプリンタに出力すること等に対する要求が高まっている。
【０００３】
例えば、上記のようなデジタル方式の撮像装置では、撮影時の画角合わせ用の液晶ディスプレイに、記録した画像を再生表示することが可能となっているものが多い。しかし、記録された画像を、撮影した順番で次々に液晶ディスプレイ上に再生表示するだけでは、大量の画像を探し出すためには効率が悪い。これに対して、記録した画像の縮小画像（動画像の場合は例えば代表場面の縮小画像）を液晶ディスプレイ上に一覧表示し、選択することで再生表示させることが考えられている。また、タッチパネル式の液晶ディスプレイを用いて、このディスプレイを押圧することで画像の選択や再生の操作が可能とされた撮像装置もあった。
【０００４】
さらに、液晶ディスプレイ上に表示したカレンダに縮小画像を表示することで、特定の日時に撮影した画像を容易に探し出せるようにすることも考えられている。このようなものとして、月別カレンダ表示画面を表示部に表示し、日付別編集テーブルの日付欄を現在の年月でサーチして、その月内に撮影された画像の縮小画像を取り出して再生し、カレンダ表示画面に日付別に表示するとともに、表示された縮小画像の中から所望の画像をポイントすることで撮影画像が再生表示される撮影画像表示装置があった（例えば、特許文献１参照）。
【先行技術文献】
【特許文献】
【０００５】
【特許文献１】特開平１１−２１５４５７号公報（段落番号〔００５０〕〜〔００６６〕、第８図）
【発明の概要】
【発明が解決しようとする課題】
【０００６】
ところで、上記のような撮像装置は小型化することが常に要求されているので、大画面の液晶ディスプレイを搭載することはできない。このため、タッチパネル式の液晶ディスプレイを用いてファイルの選択や再生の操作を行う場合には、選択項目の表示面積が小さくなってしまうことから、押し間違い等の誤操作が行われることも多く、このような誤操作ができるだけ防止されるようなアイコンの配置や画面遷移が要求されている。
【０００７】
また、最近のデジタルスチルカメラは、静止画像だけでなく、動画像の記録・再生や、音声の記録・再生が可能なものも多くなっている。このようなデジタルスチルカメラでは、記録された画像や音声のファイルを探し出して再生することに対して、より一層の効率化と操作感の向上が求められている。また、デジタルビデオカメラでも同様に、動画像、静止画像、音声の記録・再生が可能となっているものも多く、さらに今後は、デジタルビデオカメラ用の記録媒体として書き込み可能な光ディスクやハードディスク等の使用が考えられているので、これらの記録媒体におけるランダムアクセス性を利用して、記録ファイルを効率的に探し出して再生することへの要求が高まると考えられる。
【０００８】
本発明はこのような課題に鑑みてなされたものであり、記録媒体に記録された様々な種類のコンテンツを容易に検索して再生出力するとともに、その際の誤操作が防止された情報処理装置を提供することを目的とする。
【０００９】
また、本発明の他の目的は、記録媒体に記録された様々な種類のコンテンツを容易に検索して再生出力するとともに、その際の誤操作が防止された撮像機能を有する情報処理装置を提供することである。
【００１０】
さらに、本発明の他の目的は、記録媒体に記録された様々な種類のコンテンツを容易に検索して再生出力するとともに、その際の誤操作を防止するためのコンテンツ選択方法を提供することである。
【課題を解決するための手段】
【００１１】
本発明では上記課題を解決するために、記録媒体にコンテンツデータを記憶する記憶手段と、情報を表示する表示手段と、前記コンテンツデータのうち、所定の種類のコンテンツデータを抽出する抽出手段と、前記抽出したコンテンツデータの識別画像を第一の期間のカレンダに配置した第一の期間一覧を表示させ、前記第一の期間一覧に表示される複数の識別画像のうち一の識別画像の選択が検出されると、前記一の識別画像に対応する日を含み、前記第一の期間より日数の短い第二の期間に作成されたコンテンツデータの識別画像を日付別に配置した第二の期間一覧を表示させる表示制御手段と、を有することを特徴とする情報処理装置が提供される。
【００１２】
ここで、表示手段は情報を表示し、抽出手段は、コンテンツデータのうち、所定の種類のコンテンツデータを抽出する。表示制御手段は、抽出したコンテンツデータの識別画像を第一の期間のカレンダに配置した第一の期間一覧を表示させ、第一の期間一覧に表示される複数の識別画像のうち一の識別画像の選択が検出されると、一の識別画像に対応する日を含み、第一の期間より日数の短い第二の期間に作成されたコンテンツデータの識別画像を日付別に配置した第二の期間一覧を表示させる。このような制御により、記録媒体内のコンテンツが期間別に整理されて表示され、選択操作が可能となるとともに、ユーザは例えば、月別一覧表示画面上で選択した識別画像が意図したものであるか否かを確認した上で、あるいは識別画像の表示面積を拡大させて選択操作の確実性を高めた上で、日付別一覧表示画面に遷移させ、コンテンツを選択して再生出力させることができる。
【００１３】
また、本発明では、記録媒体に記録された複数種類のコンテンツを選択し、再生出力するためのコンテンツ選択方法において、コンテンツデータの識別画像を第一の期間のカレンダに配置した第一の期間一覧を表示させ、前記第一の期間一覧に表示される複数の識別画像のうち一の識別画像の選択が検出されると、前記一の識別画像に対応する日を含み、前記第一の期間より日数の短い第二の期間に作成されたコンテンツデータの識別画像を日付別に配置した第二の期間一覧を表示させる、ことを特徴とするコンテンツ選択方法が提供される。
【００１４】
このようなコンテンツ選択方法では、所定期間中に作成されたコンテンツが記録媒体中に存在することを示す識別画像を第一の期間のカレンダ上に配置した第一の期間一覧表示画面を表示した後に、この第一の期間一覧表示画面から選択操作が行われることで、第一の期間より日数の短い第二の期間に作成されたコンテンツデータの識別画像を日付別に配置した第二の期間一覧表示画面に遷移するように画面表示が制御される。これにより、記録媒体内のコンテンツが期間別に整理されて表示され、選択操作が可能となるとともに、ユーザは例えば、月別一覧表示画面上で選択した識別画像が意図したものであるか否かを確認した上で、あるいは識別画像の表示面積を拡大させて選択操作の確実性を高めた上で、日付別一覧表示画面に遷移させ、コンテンツを選択して再生出力させることができる。
【発明の効果】
【００１５】
本発明の情報処理装置によれば、期間別に整理された表示画面から記録媒体内のコンテンツを容易に検索して選択操作することが可能となるとともに、ユーザが例えば、月別一覧表示画面上で選択した識別画像が意図したものであるか否かを確認した上で、あるいは識別画像の表示面積を拡大させて選択操作の確実性を高めた上で、日付別一覧表示画面に遷移させ、コンテンツを選択して再生出力させることができる。従って、選択対象となる画面の面積が小さい場合にも、誤操作が防止され、操作感を向上させることができる。
【００１６】
また、本発明のコンテンツ選択方法によれば、期間別に整理された表示画面から記録媒体内のコンテンツを容易に検索して選択操作することが可能となるとともに、ユーザが例えば、月別一覧表示画面上で選択した識別画像が意図したものであるか否かを確認した上で、あるいは識別画像の表示面積を拡大させて選択操作の確実性を高めた上で、日付別一覧表示画面に遷移させ、コンテンツを選択して再生出力させることができる。従って、タッチパネルの面積が小さい場合にも、誤操作が防止され、操作感を向上させることができる。
【図面の簡単な説明】
【００１７】
【図１】本発明の実施の形態に係るデジタルスチルカメラの構成を示すブロック図である。
【図２】表示ファイル設定画面の画面表示例を示す図である。
【図３】データファイル選択時における第１の画面遷移例を示す図である。
【図４】第１の画像遷移例によってデータファイルが再生出力されるまでの処理の流れを示すフローチャートである。
【図５】データファイル選択時における第２の画面遷移例を示す図である。
【図６】第２の画像遷移例によってデータファイルが再生出力されるまでの処理の流れを示すフローチャートである。
【図７】データファイル選択時における第３の画面遷移例を示す図である。
【図８】第３の画像遷移例によってデータファイルが再生出力されるまでの処理の流れを示すフローチャートである。
【発明を実施するための形態】
【００１８】
以下、本発明の実施の形態を図面を参照して説明する。なお、以下の説明では、本発明をデジタルスチルカメラに適用した場合を想定する。
図１は、本発明の実施の形態に係るデジタルスチルカメラの構成を示すブロック図である。
【００１９】
図１に示すデジタルスチルカメラは、カメラブロック１０、カメラＤＳＰ（Digital Signal Processor）２０、画像メモリ３０、音声処理回路４０、制御部５０、Ｒ／Ｗ（リーダ／ライタ）６０、外部Ｉ／Ｆ（インタフェース）７０、ＬＣＤ（Liquid Crystal Display）コントローラ８０、ＬＣＤ９０、タッチパネル１００およびその他の入力部１０１を具備している。
【００２０】
カメラブロック１０は、光学ブロック１１、ＣＣＤ（Charge Coupled Device）１２、前処理回路１３、光学ブロック１１用およびＣＣＤ１２用の各ドライバ１４および１５、タイミング生成回路１６を具備する。
【００２１】
光学ブロック１１は、被写体からの光をＣＣＤ１２に集光するためのレンズ、レンズを移動させてフォーカス合わせやズーミングを行うための駆動機構、シャッタ機構、アイリス機構等を具備しており、これらはドライバ１４からの駆動信号に基づいて駆動される。ＣＣＤ１２は、被写体からの入射光を電気信号に変換する。このＣＣＤ１２は、ドライバ１５からの駆動信号およびタイミング生成回路１６からのタイミング信号に基づいて駆動される。
【００２２】
前処理回路１３は、ＣＣＤ１２から出力された画像信号に対して、ＣＤＳ（Correlated Double Sampling）処理により、Ｓ／Ｎ（Signal／Noise）比を良好に保つようにサンプルホールドを行い、さらにＡＧＣ（Auto Gain Control）処理により利得を制御し、Ａ／Ｄ変換を行ってデジタル方式の画像データを出力する。
【００２３】
ドライバ１４は、制御部５０からの制御信号に基づいて、光学ブロック１１内の各機構の動作を制御する。ドライバ１５は、タイミング生成回路１６からのタイミング信号に基づいてＣＣＤ１２の駆動を制御する。タイミング生成回路１６は、制御部５０からの制御信号に基づいてタイミング信号を生成し、ＣＣＤ１２およびドライバ１５の駆動タイミングを制御する。
【００２４】
カメラＤＳＰ２０は、制御部５０による制御の下で、必要に応じて画像メモリ３０に対するデータの書き込み、読み出しを行いながら動作する。このカメラＤＳＰ２０は、カメラ処理回路２１、静止画像処理回路２２および動画像処理回路２３を具備する。
【００２５】
カメラ処理回路２１は、メモリコントローラ２４を介して前処理回路１３からの画像データを受け取り、ＡＷＢ（Auto White Balance）処理、ＡＦ（Auto Focus）処理、ＡＥ（Auto Exposure）処理等のカメラ信号処理を施す。静止画像処理回路２２は、カメラ信号処理が施された画像データに対して、ＪＰＥＧ（Joint Photographic Coding Experts Group）方式等の所定の静止画像データフォーマットで圧縮符号化処理を行う。また、制御部５０から供給された静止画像の符号化データを伸長復号化処理する。動画像処理回路２３は、カメラ信号処理が施された画像データに対して、ＭＰＥＧ（Moving Picture Experts Group）方式等の所定の動画像データフォーマットで圧縮符号化処理を行う。また、制御部５０から供給された動画像の符号化データを伸長復号化処理する。メモリコントローラ２４は、前処理回路１３、カメラ処理回路２１、静止画像処理回路２２および動画像処理回路２３と、画像メモリ３０との間で行われるデータの読み書きを制御する。
【００２６】
画像メモリ３０は、例えばＳＤＲＡＭ（Synchronous−Dynamic ＲＡＭ）等からなり、メモリコントローラ２４を介して供給されたデータを一時的に保持する。
音声処理回路４０は、アンプやＡ／Ｄ変換器、Ｄ／Ａ変換器、圧縮符号化／伸長復号化処理を行う処理回路等によって構成される。この音声処理回路４０には、マイク４１およびスピーカ４２が接続されている。音声処理回路４０は、マイク４１によって収音された音声信号を増幅してデジタル信号に変換し、さらにＭＰＥＧ−ＡＵＤＩＯ方式等の所定の音声データフォーマットで圧縮符号化して、制御部５０に出力する。また、制御部５０から供給された音声の符号化データを伸長復号化処理し、アナログ信号に変換して増幅し、スピーカ４２から再生出力する。
【００２７】
制御部５０は、このデジタルスチルカメラ全体を制御するマイクロコンピュータであり、ＣＰＵ５１、ＲＡＭ５２、ＲＯＭ５３、時計回路５４等がシステムバス５５を通じて接続された構成を有している。ＣＰＵ５１は、ＲＯＭ５３にあらかじめ記憶されたプログラムを実行することにより、デジタルスチルカメラの各部を制御するための制御信号を出力する。ＲＡＭ５２は、例えばＤＲＡＭ等からなり、処理の途中結果を一時的に記憶する等、主にＣＰＵ５１の作業領域として使用される。ＲＯＭ５３は、例えばフラッシュ型ＥＥＰＲＯＭ（Electrically Erasable Programmable ＲＯＭ）からなり、ＣＰＵ５１が実行する種々のプログラムや、処理に必要となるデータ等を記憶している。このデータとしては、例えば、再生させるデータファイルの選択時にＬＣＤ９０に表示させる画面のフォーマットデータが含まれる。時計回路５４は、ＣＰＵ５１からの要求に応じて、現在の年月日、曜日、時刻の情報を出力する。
【００２８】
Ｒ／Ｗ６０には、撮影した画像データや音声データを記録する記録媒体として、可搬型のフラッシュメモリからなるメモリカード６１が着脱可能に接続される。Ｒ／Ｗ６０は、制御部５０のシステムバス５５から供給されたデータをメモリカード６１に書き込み、また、メモリカード６１から読み出したデータを、システムバス５５上に出力する。なお、記録媒体としては、他に、例えば書き込み可能な光ディスクやＨＤＤ（ハードディスクドライブ）等が接続されてもよい。
【００２９】
外部Ｉ／Ｆ７０は、制御部５０のシステムバス５５と外部の機器とを接続するための通信Ｉ／Ｆであり、例えば、ＩＥＥＥ（Institute of Electrical and Electronics Engineers）１３９４やＵＳＢ（Universal Serial Bus）といった有線通信インタフェース、あるいは赤外線や電波等を利用した無線通信インタフェース等として設けられる。
【００３０】
ＬＣＤコントローラ８０は、制御部５０のシステムバス５５から供給された画像データから、ＬＣＤ９０に表示させる画像信号を生成して、これをＬＣＤ９０に供給し、画像を表示させる。また、ＬＣＤ９０にはタッチパネル１００が設けられており、ユーザが画面上を指や指示具で押圧することで入力操作を行うことが可能となっている。さらに、入力部１０１は、この他の例えばシャッタレリーズボタン等の各種ボタンやレバー、ダイヤル等により構成される。タッチパネル１００および入力部１０１において入力操作が行われると、これらからＣＰＵ５１に対して制御信号が出力される。
【００３１】
ここで、上記のデジタルスチルカメラにおける基本的な動作について説明する。まず、静止画像の撮影時の動作について説明する。
静止画像の撮影前には、ＣＣＤ１２によって受光され、光電変換された信号が順次前処理回路１３に供給され、ＣＤＳ処理、ＡＧＣ処理が行われてデジタル信号に変換され、カメラＤＳＰ２０に供給される。カメラＤＳＰ２０では、供給された画像データがカメラ処理回路２１において画質補正処理され、カメラスルー画像の画像データとして制御部５０に供給される。制御部５０では、入力された画像データがＬＣＤコントローラ８０に供給され、カメラスルー画像がＬＣＤ９０に表示される。これにより、ユーザはＬＣＤ９０を見て画角合わせを行うことが可能となる。
【００３２】
ここで、入力部１０１のシャッタレリーズボタンが押下されると、ＣＰＵ５１は、ドライバ１４に制御信号を出力して、光学ブロックのシャッタを動作させる。これとともに、カメラＤＳＰ２０を制御して、前処理回路１３から供給された１フレーム分の画像データを、カメラ処理回路２１で処理させた後、メモリコントローラ２４を通じて画像メモリ３０に記憶させる。さらに、この画像データを静止画像処理回路２２に入力させて、圧縮符号化処理を実行させ、符号化データをシステムバス５５を通じてＲ／Ｗ６０に供給する。これにより、撮影された静止画像のデータファイルがメモリカード６１に記憶される。
【００３３】
なお、カメラ処理回路２１におけるＡＦ処理やＡＥ処理は、例えば、入力部１０１のシャッタレリーズボタンが半押しまたは全押しされたことをＣＰＵ５１が検知したときに、ＣＰＵ５１から制御信号を受信することで行われる。あるいは、カメラスルー画像を表示している間に随時行われてもよい。ＣＰＵ５１は、ＡＦ処理やＡＥ処理の実行によりカメラ処理回路２１から出力される制御信号に応じて、カメラブロック１０のドライバ１４や前処理回路１３に制御信号を出力して、光学ブロック１１や前処理回路１３の動作を制御する。
【００３４】
また、動画像を撮影する場合には、ＣＣＤ１２で光電変換され、前処理回路１３でデジタル化された画像データは、カメラＤＳＰ２０のカメラ処理回路２１で処理されて順次画像メモリ３０に記憶され、さらに、動画像処理回路２３によって順次圧縮符号化処理される。また、このときマイク４１によって収音されて音声処理回路４０に供給された音声信号は、デジタル化された後に順次圧縮符号化処理される。さらに、ＣＰＵ５１の処理によって、動画像処理回路２３および音声処理回路４０からそれぞれ動画像、音声の符号化データが順次多重化され、動画像ファイル（ここでは、音声付きでも動画像ファイルと表現するものとする）としてＲ／Ｗ６０を通じてメモリカード６１に順次記憶される。また、マイク４１からの音声のみ音声処理回路４０で圧縮符号化され、音声ファイルとしてメモリカード６１に記憶することも可能である。
【００３５】
なお、静止画像や動画像、音声の各データファイルが生成された際には、ＣＰＵ５１は、撮影時の日時や時刻を時計回路５４から取得し、データファイルに付加してメモリカード６１に記憶させる。また、静止画像についてはさらに、静止画像処理回路２２に対してその静止画像の縮小画像のデータを生成させ、元の静止画像に対応づけてメモリカード６１に記憶させる。動画像については、記録開始時や記録中の任意の場面における１フレーム分の画像を代表画像として用いて、静止画像処理回路２２に縮小画像を生成させ、同様に元の動画像に対応づけてメモリカード６１に記憶させる。なお、動画像を記録する場合、記録開始の操作時から次の記録終了の操作時までに生成された動画像データが、１つのデータファイルとして記録されるものとし、この１つの動画像ファイルに対して１つの縮小画像が生成される。
【００３６】
一方、メモリカード６１に記憶された静止画像ファイルを再生する場合には、入力部１０１あるいはタッチパネル１００からの操作入力に応じて、ＣＰＵ５１は、選択された静止画像ファイルをメモリカード６１からＲ／Ｗ６０を介して読み込み、静止画像処理回路２２に供給して伸長復号化処理を実行させる。復号化された静止画像データは、ＬＣＤコントローラ８０に供給され、ＬＣＤ９０に静止画像が再生表示される。
【００３７】
また、操作入力により動画像ファイルが選択された場合は、ＣＰＵ５１の制御の下で動画像データと音声データとに分離され、それぞれ動画像処理回路２３および音声処理回路４０に入力される。動画像処理回路２３によって復号化された動画像データは、順次ＬＣＤコントローラ８０に供給されて、動画像がＬＣＤ９０上に再生表示される。これとともに、音声処理回路４０で復号化され、アナログ化された音声信号は、スピーカ４２から再生出力される。また、音声ファイルがメモリカード６１から読み出された場合には、音声処理回路４０により伸長復号化処理が行われて、同様にスピーカ４２から再生出力される。
【００３８】
なお、上記のデジタルスチルカメラは、撮影・収音してメモリカード６１に記憶した静止画像、動画像および音声の各データファイルを、ＣＰＵ５１の制御の下で、外部Ｉ／Ｆ７０を通じて外部のパーソナルコンピュータ、プリンタ等の機器に送出することが可能となっている。また、外部の機器からネットワーク等を通じて送信されたデータファイルを外部Ｉ／Ｆ７０において受信し、メモリカード６１に記録する、あるいはさらにこのデータファイルを再生して出力することも可能となっている。
【００３９】
ところで、上記のデジタルスチルカメラでは、メモリカード６１の記憶容量が増すにつれて、記録されるデータファイルの数が多くなるので、ユーザがこれらのデータファイルから再生させたいものを探し出すのに手間がかかることが問題となる。また、上記のデジタルスチルカメラでは、静止画像、動画像、音声の３種類のデータファイルを記録および再生することが可能となっており、記録させた中から所望の種類のデータファイルだけを探し出したいという要求も大きい。
【００４０】
本発明では、記録されたデータファイルをその生成日（画像の撮影日、音声の収録日や楽曲の発表時等）をキーとして検索し、各日に生成されたデータファイルが存在することを示す識別画像をカレンダ上に配置した月別一覧表示画面をＬＣＤ９０に表示させることにより、データファイルの検索を容易にする。この月別一覧表示画面からは、さらに各日の識別画像をタッチパネル１００を通じて選択する等の所定の操作を行うことで、各日に生成されたデータファイルの識別画像を一覧表示する日付別一覧表示画面に遷移するようにし、この日付別一覧表示画面から所望の識別画像をタッチパネル１００を通じて選択操作することで、そのデータファイルが再生出力されるようにする。
【００４１】
また、これらの一覧表示画面の表示の際に、あらかじめ指定された種類のデータファイルのみが検索されるようにし、検索をさらに容易にする。また、表示される識別画像としては、アイコンや、記録された画像の縮小画像とすることで、記録されたデータファイルの内容や種類が視覚的に認識しやすいようにする。
【００４２】
さらに、これらの一覧表示画面に対する選択操作はタッチパネル１００を用いて行われるが、装置全体の小型化に伴いＬＣＤ９０の表示面積が小さく、特に月別一覧表示画面での誤操作が起こりやすいことから、必ず２回以上の選択操作を行うことで日付別一覧表示画面に遷移するようにして、識別画像の選択間違いを起こした場合に、その都度画面を遷移させずに容易に再操作できるようにし、操作感を向上させる。
【００４３】
以下、以上のようなデータファイルの再生出力時の画面遷移について、３パターンの例を示して説明する。はじめに、これらのパターンで共通に使用することが可能な設定画面の例を挙げる。
【００４４】
図２は、表示ファイル設定画面の画面表示例を示す図である。
図２に示す表示ファイル設定画面１１０は、上記の各一覧表示画面に表示させるデータファイルの種類を設定するための設定画面である。この表示ファイル設定画面１１０は、例えば上記の月別一覧表示画面の表示に先立ってあらかじめ表示されてもよく、あるいは月別、日付別の各一覧表示画面から遷移して表示されてもよい。
【００４５】
この表示ファイル設定画面１１０において、選択ボタン１１１〜１１４は、表示させるデータファイルの種類を指定するもので、選択ボタン１１１〜１１３が押下されることで、動画像ファイル、静止画像ファイル、音声ファイルがそれぞれ指定される。また、選択ボタン１１４が押下されることで、動画像、静止画像、音声のすべてのファイルを表示するように指定される。図２では、選択ボタン１１２がユーザの指や指示具等によって押下され、選択された状態を示している。選択されたアイコンは、選択されたことを識別するために、例えば枠の色が変化する。そして、これらの各選択ボタン１１１〜１１４のいずれかが押下された後、確定ボタン１１５が押下されることで、選択したデータファイルの種類が確定される。
【００４６】
〔第１の画面遷移例〕
図３は、データファイル選択時における第１の画面遷移例を示す図である。
第１の画面遷移例では、図３（Ａ）に示す月別一覧表示画面１２０から、（Ｂ）に示す日付別一覧表示画面１３０に遷移することで、各データファイルを選択し、再生出力させることが可能となる。
【００４７】
月別一覧表示画面１２０では、カレンダ表示部１２１上において、作成されたデータファイルの有無について日付ごとに示され、作成されたデータファイルが存在する場合には、このことを示す識別画像が表示される。図３（Ａ）では例として、前述した表示ファイル設定画面１１０において、表示させるデータファイルとして静止画像ファイルが選択された場合の画面を示しており、５月１日、２日、５日、６日、１４日および２８日にそれぞれ撮影された静止画像ファイルが存在しているために、これらの日付の位置に識別画像が配置されている。各日に配置される識別画像は、存在する静止画像ファイルの縮小画像とされ、さらに静止画像ファイルが存在しない日と区別しやすいように、縮小画像の枠が他の部分とは異なる色や形状で表示されている。なお、同じ日に撮影された静止画像ファイルが複数存在する場合には、それらの代表画像（例えば、最も早い時刻に撮影されたもの）の縮小画像が表示される。
【００４８】
また、アイコン１２２は、表示されるデータファイルの種類として静止画像ファイルが指定されていることを示しており、指定された種類に応じて変化する。また、表示設定ボタン１２３は、図２で示した表示ファイル設定画面１１０に遷移させるための選択ボタンであり、月別一覧表示画面１２０から表示ファイル設定画面１１０に遷移させて、表示させるデータファイルの種類を変更し、再び月別一覧表示画面１２０に戻すことで、検索するデータファイルの種類を変更し、月別一覧表示画面１２０に反映させることができる。
【００４９】
この月別一覧表示画面１２０では、まず、カレンダ表示部１２１上のいずれかの日付に配置された識別画像が押下され、選択される。図３（Ａ）では例として、５月５日の識別画像が選択された状態を示しており、選択された識別画像は、その枠の色や形状が変化することで、選択されたことが識別されるようになっている。そして、識別画像の選択後、さらに確定ボタン１２４が押下されることにより、５月５日分の撮影画像ファイルを示す日付別一覧表示画面１３０に遷移することになる。なお、カレンダ表示部１２１では、作成されたデータファイルが存在している日付のみが選択可能とされており、誤って選択した場合の操作ストレスを軽減している。
【００５０】
日付別一覧表示画面１３０は、図３（Ｂ）に示すように、一覧表示部１３１において、この日に作成されたデータファイルを示す識別画像が一覧表示される。ここで、表示されるデータファイルの種類は、月別一覧表示画面１２０での設定が反映される。この例では、静止画像ファイルを表示するように設定されているので、識別画像として、各静止画像ファイルの縮小画像が表示される。この一覧表示部１３１では、各識別画像を比較的大きく表示することで選択操作の確実性が高まることから、所望の識別画像を押下し、選択することにより、選択されたデータファイルが再生出力される。
【００５１】
なお、同じ日に作成されたデータファイルが表示可能な数より多い場合は、スクロールバー１３２を用いて画面をスクロールすることで、他のデータファイルの識別画像を表示させることができる。また、アイコン１３３は、表示させるデータファイルの種類を示している。また、表示設定ボタン１３４は、図２で示した表示ファイル設定画面１１０に遷移させるための選択ボタンであり、日付別一覧表示画面１３０から表示ファイル設定画面１１０に遷移させて、表示させるデータファイルの種類を変更し、再び日付別一覧表示画面１３０に戻すことで、同じ日に作成された他の種類のデータファイルを即座に検索して表示させ、再生出力させることが可能となっている。また、選択ボタン１３５は、月別一覧表示画面１２０に戻るための選択ボタンである。
【００５２】
ここで、カレンダ表示部１２１では、各日の識別画像が小さいため、ユーザが１つの識別画像を確実に選択することが比較的難しい。このため、例えば識別画像を押下すると直ちに日付別一覧表示画面１３０に遷移するようにした場合、間違った日付の識別画像を選択した場合には、次の画面に遷移してしまい、正しい日付を選択するためには、元の画面に一旦戻す必要が生じるので、操作しているユーザにストレスを与えることになる。
【００５３】
これに対して、上記のように、カレンダ表示部１２１上の任意の日付の識別画像を選択後に、さらに確定ボタン１２４の押下を必要とすることにより、例えば間違った日付を選択した場合に、画面が遷移することなく、同じ画面上で他の日付を選択し直すことができ、操作上のストレスが軽減される。また、選択された日付の識別画像の枠の色や形状を変化させることにより、正しい日付を選択したか否かを識別しやすくなり、操作感が一層向上する。
【００５４】
また、月別一覧表示画面１２０では、表示ファイル設定画面１１０で指定した種類のデータファイルのみが検索されて表示されるので、目的とするデータファイルをより効率的に探し出すことが可能となる。また、日付別一覧表示画面１３０においても同様に、表示ファイル設定画面１１０で指定された種類のデータファイルのみが表示され、再生させることが可能となるため、表示ファイル設定画面１１０により、結果的に再生させるデータファイルの種類をあらかじめ特定しておくことができることになり、操作性が高められている。
【００５５】
なお、日付別一覧表示画面１３０では、月別一覧表示画面１２０と比較して各識別画像をより大きく表示することにより、選択操作の間違いが防止されるため、１回の選択操作でデータファイルが再生される方が快適な操作感が得られる。
【００５６】
図４は、第１の画像遷移例によってデータファイルが再生出力されるまでの処理の流れを示すフローチャートである。
タッチパネル１００上の所定の選択ボタン、あるいは入力部１０１の所定のスイッチ等の操作入力により、記録されたデータファイルを再生させる再生動作モードが選択されると、制御部５０のＣＰＵ５１は、ＲＯＭ５３に記憶された所定のプログラムを読み出して、以下のような処理を実行する。
【００５７】
ステップＳ４０１において、データファイルの作成日をキーに、メモリカード６１中のデータファイルの属性情報を検索する。キーとされる作成日の初期値は、例えば時計回路５４から取得した現在の「年」および「月」となり、該当する期間の各日に作成されたデータファイルがある場合は、検索されたデータファイルの識別画像のデータを各日について１つずつ取得し、ＲＡＭ５２に格納する。
【００５８】
この処理では、表示ファイル設定画面１１０においてあらかじめ指定された種類のデータファイルのみが検索の対象とされる。静止画像ファイルまたは動画像ファイルが指定されていた場合には、検索されたデータファイルに対応する縮小画像のデータがメモリカード６１から読み出される。あるいは、検索されたデータファイルそのものを読み出して、静止画像処理回路２２によって縮小画像のデータを生成するようにしてもよい。また、音声ファイルが指定されている場合には、識別画像として、音声ファイルを示すアイコンの画像データがＲＯＭ５３から読み出される。
【００５９】
ステップＳ４０２において、取得した識別画像データを用いて月別一覧表示画面１２０を生成し、ＬＣＤコントローラ８０を制御してＬＣＤ９０に表示させる。例えば静止画像ファイルまたは動画像ファイルが指定されていた場合には、ステップＳ４０１で取得した識別画像データを静止画像処理回路２２で伸長復号化処理させ、処理後の画像データを、ＲＯＭ５３から読み出した画面のフォーマットデータに合成することで、月別一覧表示画面１２０を生成する。
【００６０】
ステップＳ４０３において、ＣＰＵ５１は、タッチパネル１００からの制御信号を監視し、カレンダ表示部１２１中の識別画像が押下されると、ステップＳ４０５の処理に進む。
【００６１】
ステップＳ４０４において、確定ボタン１２４が押下された場合には、ステップＳ４０５の処理に進む。また、確定ボタン１２４が押下されずに、再び別の識別画像が押下される場合もある（ステップＳ４０３）。
【００６２】
なお、確定ボタン１２４が押下される前に、表示設定ボタン１２３が押下された場合は、表示ファイル設定画面１１０の画像をＬＣＤ９０に表示させる。そして、設定が変更されて、月別一覧表示画面１２０への戻る操作が行われた場合には、ステップＳ４０１に戻って、変更されたデータファイルの種類についてあらためてメモリカード６１を検索し、月別一覧表示画面１２０を表示させる。
【００６３】
ステップＳ４０５において、選択された識別画像に対応する日付をキーにメモリカード６１を検索し、該当日に作成されたデータファイルに対応する識別画像のデータをすべて、あるいは一定数だけ取得する。
【００６４】
ステップＳ４０６において、取得した識別画像データを用いて日付別一覧表示画面１３０を生成し、ＬＣＤ９０に表示させる。
ステップＳ４０７において、一覧表示部１３１内の識別画像が押下されると、ステップＳ４０８に進み、この識別画像に対応するデータファイルをメモリカード６１から読み出し、再生出力を開始する。例えば、静止画像ファイルを読み出した場合は、この静止画像ファイルを静止画像処理回路２２に入力させて伸長復号化処理を実行させ、処理後の画像データをＬＣＤコントローラ８０に出力し、生成された画像をＬＣＤ９０に表示させる。
【００６５】
なお、ステップＳ４０７で識別画像が押下される前に、表示設定ボタン１３４が押下された場合には、表示ファイル設定画面１１０の画像をＬＣＤ９０に表示させる。そして、設定が変更されて、日付別一覧表示画面１３０への戻る操作が行われた場合には、ステップＳ４０５に戻って、変更されたデータファイルの種類についてあらためてメモリカード６１を検索し、日付別一覧表示画面１３０を表示させる。
【００６６】
なお、図３（Ａ）の月別一覧表示画面１２０において、カレンダ表示部１２１中の識別画像を一定時間以上押下し続けた場合、あるいは一定時間内に２回連続的に押下（ダブルクリック）した場合等には、確定ボタン１２４を押下せずに日付別一覧表示画面１３０に直接遷移させるようにしてもよい。これにより、例えばタッチパネル１００の操作に慣れた、押し間違いの少ないユーザは、より高速な選択操作が可能となり、このようなユーザの操作感を向上させることができる。
【００６７】
〔第２の画面遷移例〕
図５は、データファイル選択時における第２の画面遷移例を示す図である。
第２の画面遷移例では、図５（Ａ）に示す月別一覧表示画面１４０から、（Ｂ）に示す週別一覧表示画面１５０に遷移し、さらに所望の日付の識別画像の選択に応じて、図３（Ｂ）に示した日付別一覧表示画面１３０に遷移することで、データファイルの再生出力が可能とされる。
【００６８】
月別一覧表示画面１４０では、カレンダ表示部１４１上において、作成されたデータファイルの有無について１週間ごとに示されている。このカレンダ表示部１４１では、データファイルがメモリカード６１内に存在する週の表示部について、その背景を異なる色や模様にする、枠を異なる色や形状にする等によって、存在しない週の表示部と明確に識別して表示するとともに、検索されたデータファイルの識別画像として縮小画像やアイコンを表示させる。図５（Ａ）の例では、第１週、第２週、第３週および第５週に撮影された静止画像ファイルが存在していることが示されている。なお、背景や枠の色や形状を異なるものとして、データファイルが存在しない週と明確に識別しておくだけでもよい。
【００６９】
また、アイコン１４２は、表示されるデータファイルの種類として静止画像ファイルが指定されていることを示している。また、表示設定ボタン１４３を押下することにより、図２で示した表示ファイル設定画面１１０に遷移させて、表示させるデータファイルの種類を変更することができ、変更後にはアイコン１４２が変化する。
【００７０】
この月別一覧表示画面１４０のカレンダ表示部１４１に対しては、ユーザは１週間ごとに選択操作が可能となっている。図５（Ａ）では例として、第２週目が選択された状態を示しており、選択された週の表示部の枠の色や形状が瞬間的に変化し、選択されたことが識別されるようになっている。そして、このような１回の選択操作に応じて、図５（Ｂ）に示す週別一覧表示画面１５０に遷移する。なお、カレンダ表示部１４１では、作成されたデータファイルが存在している週のみが選択可能とされている。
【００７１】
週別一覧表示画面１５０では、図５（Ｂ）に示すように、一覧表示部１５１において、選択された週の各日に作成されたデータファイルを示す識別画像が一覧表示される。識別画像は、各日に作成されたデータファイルのうち、代表（例えば、最も作成された時間が早いもの）のものが１枚ずつ表示される。ここで、表示されるデータファイルの種類は、月別一覧表示画面１２０での設定が反映される。図５（Ｂ）の例では、静止画像ファイルを表示するように設定されており、識別画像として縮小画像が表示されている。
【００７２】
また、アイコン１５２は、表示させるデータファイルの種類を示している。また、表示設定ボタン１５３は、図２で示した表示ファイル設定画面１１０に遷移させるための選択ボタンであり、表示させるデータファイルの種類を変更して再び日付別一覧表示画面１３０に戻すことで、同じ週の各日に作成された他の種類のデータファイルを表示させることができる。また、選択ボタン１５４は、月別一覧表示画面１４０に戻るための選択ボタンである。
【００７３】
この週別一覧表示画面１５０の一覧表示部１５１から、所望の日付の識別画像を選択すると、図３（Ｂ）に示した日付別一覧表示画面１３０に遷移し、該当日に作成されたデータファイルの識別画像が一覧表示されて、再生出力させることが可能となる。
【００７４】
以上の画像遷移において、月別一覧表示画面１４０のカレンダ表示部１４１では、１日ごとではなく、１週間ごとに選択可能とすることで、選択される１要素当たりの範囲を大きくして、選択間違いを起こすことを防止している。そして、次の週別一覧表示画面１５０において、１日ごとの識別画像を比較的大きく表示し、選択操作の確実性を高めた上で、日付別一覧表示画面１３０に遷移させるようにしている。従って、所望のデータファイルを再生させるまでの操作回数を最小限に抑えながらも、誤操作を起こしにくくなっている。また、１ヶ月、１週間、１日のように、画面遷移に応じて期間を徐々に狭くしていくことで、より自然な操作感を得ることが可能となっている。さらに、上述した第１の画面遷移例と同様に、第２の画面遷移例でも、各画面において表示ファイル設定画面１１０で指定した種類のデータファイルのみが検索されて表示されるので、目的とするデータファイルをより効率的に探し出すことが可能となる。
【００７５】
図６は、第２の画像遷移例によってデータファイルが再生出力されるまでの処理の流れを示すフローチャートである。
ステップＳ６０１において、ＣＰＵ５１の制御の下で、データファイルの作成日をキーに、メモリカード６１中のデータファイルの属性情報を検索し、該当する１週間の各日に作成されたデータファイルがある場合は、検索されたデータファイルの識別画像のデータを各日について１つずつ（あるいは各週について１つずつ）取得する。この処理では、表示ファイル設定画面１１０においてあらかじめ指定された種類のデータファイルのみを検索の対象とする。
【００７６】
ステップＳ６０２において、取得した識別画像データを用いて月別一覧表示画面１４０を生成し、ＬＣＤ９０に表示させる。
ステップＳ６０３において、タッチパネル１００からの制御信号に基づき、カレンダ表示部１４１中の識別画像が押下されると、ステップＳ６０４の処理に進む。
【００７７】
ステップＳ６０４において、メモリカード６１を検索して、選択された週に作成されたデータファイルに対応する識別画像のデータを、各日について１枚ずつ取得する。
ステップＳ６０５において、取得した識別画像データを用いて週別一覧表示画面１５０を生成し、ＬＣＤ９０に表示させる。
【００７８】
ステップＳ６０６において、一覧表示部１５１内の識別画像が押下されると、ステップＳ６０７の処理に進む。
ステップＳ６０７において、メモリカード６１を検索して、選択された日に作成されたデータファイルに対応する識別画像のデータをすべて、または一定数だけ取得する。
【００７９】
ステップＳ６０８は、図４に示したステップＳ４０６〜Ｓ４０８に対応し、ステップＳ６０７で取得した識別画像のデータを用いて日付別一覧表示画面１３０を表示させる。そして、識別画像が選択されると、該当するデータファイルをメモリカード６１から読み出し、再生出力を開始する。
【００８０】
〔第３の画面遷移例〕
図７は、データファイル選択時における第３の画面遷移例を示す図である。
第３の画面遷移例では、図７（Ａ）に示す月別一覧表示画面１６０から、図７（Ｂ）に示す拡大一覧表示画面１７０に遷移し、さらに所望の日付の識別画像の選択に応じて、図３（Ｂ）に示した日付別一覧表示画面１３０に遷移することで、データファイルの再生出力が可能とされる。
【００８１】
月別一覧表示画面１６０では、図３（Ａ）に示した画面と同様に、カレンダ表示部１６１上において、作成されたデータファイルの有無について日付ごとに示され、作成されたデータファイルが存在する場合には、このことを示す識別画像が表示される。図７（Ａ）では例として、５月１日、２日、５日、６日、１４日および２８日にそれぞれ撮影された静止画像ファイルが存在しており、これらの日付の位置に識別画像として縮小画像が配置されている。また、撮影された静止画像ファイルが存在しない日と明確に区別するために、識別画像の枠の色や形状が異なるようにされている。なお、カレンダ表示部１６１では、作成されたデータファイルが存在している週のみが選択可能とされている。
【００８２】
また、アイコン１６２は、表示されるデータファイルの種類として静止画像ファイルが指定されていることを示している。また、表示設定ボタン１６３を押下することにより、図２で示した表示ファイル設定画面１１０に遷移させて、表示させるデータファイルの種類を変更することができ、変更後にはアイコン１６２が変化する。
【００８３】
このような月別一覧表示画面１６０に対して、カレンダ表示部１６１内の所望の識別画像が選択されると、図７（Ｂ）に示す拡大一覧表示画面１７０に遷移する。ここで、拡大一覧表示画面１７０は、月別一覧表示画面１６０において選択された識別画像をほぼ中心とした一定の領域を拡大して示すものである。例えば図７の場合、月別一覧表示画面１６０上で５月５日の識別画像が選択され、遷移した拡大一覧表示画面１７０では、５月５日の周辺領域内に配置されていた４月２６日〜２９日、５月３日、４日、６日、１０日〜１３日について、一覧表示部１７１に拡大されて表示される。また、これらのうち、５月５日および６日に静止画像が存在しており、識別画像として縮小画像が配置される。そして、ユーザが一覧表示部１７１内の所望の日付の識別画像を選択すると、日付別一覧表示画面１３０に遷移して、該当日に作成された静止画像の縮小画像が一覧表示され、静止画像の再生表示が可能となる。
【００８４】
なお、拡大一覧表示画面１７０において、一覧表示部１７１では、作成されたデータファイルが存在している日のみが選択可能とされている。また、アイコン１７２は、表示させるデータファイルの種類を示している。また、表示設定ボタン１７３は、図２で示した表示ファイル設定画面１１０に遷移させるための選択ボタンであり、表示させるデータファイルの種類を変更して再び拡大一覧表示画面１７０に戻すことで、表示された各日に作成された他の種類のデータファイルを表示させることができる。また、選択ボタン１７４は、月別一覧表示画面１６０に戻るための選択ボタンである。
【００８５】
以上の画像遷移において、月別一覧表示画面１６０のカレンダ表示部１６１では、第１の画像遷移例の場合と同様に各日の識別画像が小さくなるため、ユーザが１つの識別画像を確実に選択することが比較的難しい。一方、拡大一覧表示画面１７０では、各識別画像の表示面積が拡大されるので、選択操作の確実性が高まる。従って、例えば月別一覧表示画面１６０上で誤って隣接する別の日付を選択してしまった場合にも、その日付の日付別一覧表示画面１３０に即座に遷移せずに、拡大一覧表示画面１７０上で正しい日付をあらためて選択することが可能となり、操作上のストレスが軽減され、ユーザの操作感を向上させることができる。
【００８６】
さらに、第１および第２の画面遷移例と同様に、各画面において表示ファイル設定画面１１０で指定した種類のデータファイルのみが検索されて表示されるので、目的とするデータファイルをより効率的に探し出すことが可能となる。
【００８７】
なお、図７（Ａ）の月別一覧表示画面１６０において、カレンダ表示部１６１中の識別画像を一定時間以上押下し続けた場合、あるいはダブルクリックした場合等には、拡大一覧表示画面１７０を表示せずに、日付別一覧表示画面１３０に直接遷移させるようにしてもよい。これにより、例えばタッチパネル１００の操作に慣れたユーザはより高速な選択操作が可能となり、このようなユーザの操作感を向上させることができる。
【００８８】
図８は、第３の画像遷移例によってデータファイルが再生出力されるまでの処理の流れを示すフローチャートである。
ステップＳ８０１において、ＣＰＵ５１の制御の下で、データファイルの作成日をキーに、メモリカード６１中のデータファイルの属性情報を検索し、該当する１ヶ月間の各日に作成されたデータファイルがある場合は、検索されたデータファイルの識別画像のデータを各日について１つずつ取得する。この処理では、表示ファイル設定画面１１０においてあらかじめ指定された種類のデータファイルのみを検索の対象とする。
【００８９】
ステップＳ８０２において、取得した識別画像データを用いて月別一覧表示画面１６０を生成し、ＬＣＤ９０に表示させる。
ステップＳ８０３において、タッチパネル１００からの制御信号に基づき、カレンダ表示部１６１中の識別画像が押下されると、ステップＳ８０４の処理に進む。
【００９０】
ステップＳ８０４では、ステップＳ８０１で取得していた識別画像のうち、ステップＳ８０３で選択された識別画像に対応する日付とその周囲に位置する日付の各識別画像のデータを用いて、拡大一覧表示画面１７０を生成し、ＬＣＤ９０に表示させる。
【００９１】
ステップＳ８０５において、一覧表示部１７１内の識別画像が押下されると、ステップＳ８０６の処理に進む。
ステップＳ８０６において、メモリカード６１を検索して、選択された日に作成されたデータファイルに対応する識別画像のデータをすべて、または一定数だけ取得する。
【００９２】
ステップＳ８０７は、図４に示したステップＳ４０６〜Ｓ４０８に対応し、ステップＳ８０６で取得した識別画像データを用いて日付別一覧表示画面１３０を表示させる。そして、識別画像が選択されると、該当するデータファイルをメモリカード６１から読み出し、再生出力を開始する。
【００９３】
以上のデジタルスチルカメラでは、各画面遷移例によりデータファイルを再生させる場合にも、指定した種類のデータファイルを期間別にわかりやすく一覧表示させ、所望のデータファイルを容易に探し出すことができるとともに、月別一覧表示画面１２０、１４０および１６０において意図しない日付を選択操作してしまったときの操作ストレスが軽減される。
【００９４】
なお、上記の第１〜第３の画像遷移例については、別の設定画面を用いた設定に基づいて、同一のデジタルスチルカメラで各画像遷移例のいずれかを選択して利用できるようにしてもよい。また、上記の各画像遷移例において、静止画像ファイルに対応する識別画像として、元の静止画像の一部を切り出した画像を使用してもよい。
【００９５】
さらに、以上の説明では、本発明をデジタルスチルカメラに対して適用した場合について例示したが、これに限らず、例えばデジタルビデオカメラ等、撮影した画像ファイル等のデータファイルを記録媒体に記録しておくことが可能な小型の撮像装置に対して、本発明を適用することが可能である。また、この他にも例えば、撮像機能付きの携帯型電話機やＰＤＡ（Personal Digital Assistants）等の小型の情報処理機器に適用することも可能である。また、本発明が適用される機器では、半導体メモリやディスク型記録媒体等、ランダムアクセス性の比較的高いものが記録媒体として使用されることが望ましい。
【符号の説明】
【００９６】
１０……カメラブロック、１１……光学ブロック、１２……ＣＣＤ、１３……前処理回路、１４、１５……ドライバ、１６……タイミング生成回路、２０……カメラＤＳＰ、２１……カメラ処理回路、２２……静止画像処理回路、２３……動画像処理回路、２４……メモリコントローラ、３０……画像メモリ、４０……音声処理回路、４１……マイク、４２……スピーカ、５０……制御部、５１……ＣＰＵ、５２……ＲＡＭ、５３……ＲＯＭ、５４……時計回路、５５……システムバス、６０……Ｒ／Ｗ、６１……メモリカード、７０……外部Ｉ／Ｆ、８０……ＬＣＤコントローラ、９０……ＬＣＤ、１００……タッチパネル、１０１……入力部
【図１】
0004656240.tif 000002
【図２】
0004656240.tif 000003
【図３】
0004656240.tif 000004
【図４】
0004656240.tif 000005
【図５】
0004656240.tif 000006
【図６】
0004656240.tif 000007
【図７】
0004656240.tif 000008
【図８】
0004656240.tif 000009